(57)【要約】【課題】チャンネルスキャン機能を備えたＴＶ放送受信装置において、過去に選局可能であったチャンネルが、新たに行われたチャンネルスキャンによって、選局できないチャンネルとして取り扱われることを防ぎ、また、チャンネルスキャンに要する時間を短縮することができるようにする。【解決手段】ＴＶ放送受信装置は、選局可能なチャンネルとしてチャンネル情報テーブルに登録されているチャンネルの選局をスキップし（Ｓ４でＹＥＳ）、選局できないチャンネルとして登録されているチャンネルのみ（Ｓ４でＮＯ）、選局を順次指示して選局可能なチャンネルを検出する（Ｓ５〜Ｓ８）。そして、選局可能なチャンネルとして新たに検出されたチャンネル（Ｓ８でＹＥＳ）について、新たな登録チャンネル情報をチャンネル情報テーブルに追加すると共に（Ｓ１０）、既に選局可能なチャンネルとして登録されているチャンネルの登録チャンネル情報を保持する。【選択図】  図３
2006041751.tif 000002
【特許請求の範囲】
【請求項１】
テレビジョン放送信号の受信を行う受信手段と、
前記受信手段に対して選局するチャンネルを指示するための制御信号を出力する制御信号出力手段と、
放送局から配信される各チャンネルのチャンネル番号、及びこれら各チャンネルが選局可能なチャンネルとして登録されているか否かを示す登録チャンネル情報を含み、ユーザによって指定されたチャンネルを選局する際に利用されるチャンネル情報テーブルを記憶するチャンネル情報テーブル記憶手段と、
前記制御信号出力手段により、所定範囲のチャンネルの選局を順次指示して、前記受信手段により受信したテレビジョン放送信号に基づいて、選局可能なチャンネルを検出するチャンネルスキャン手段と、
前記チャンネルスキャン手段による検出結果に基づいて、前記チャンネル情報テーブルの内容を更新するチャンネル情報テーブル更新手段と、
を備えたテレビジョン放送受信装置において、
前記チャンネルスキャン手段は、前記制御信号出力手段により、前記チャンネル情報テーブルに選局できないチャンネルとして登録されているチャンネルの選局を順次指示し、前記チャンネル情報テーブルに選局可能なチャンネルとして登録されているチャンネルの選局をスキップして、前記受信手段により受信したテレビジョン放送信号に基づいて、選局可能なチャンネルを検出する手段であり、
前記チャンネル情報テーブル更新手段は、前記チャンネルスキャン手段により、選局可能なチャンネルとして新たに検出されたチャンネルについて、新たな登録チャンネル情報を前記チャンネル情報テーブルに追加すると共に、過去に選局可能なチャンネルとして前記チャンネル情報テーブルに登録されているチャンネルについては、既に登録されている登録チャンネル情報を前記チャンネル情報テーブルにそのまま保持することにより、前記チャンネル情報テーブルの内容を更新する手段であり、
前記チャンネル情報テーブル更新手段により、新たな登録チャンネル情報が前記チャンネル情報テーブルに追加された場合に、そのチャンネル数をユーザに報知する追加チャンネル報知手段を更に備えたことを特徴とするテレビジョン放送受信装置。
【請求項２】
テレビジョン放送信号の受信を行う受信手段と、
前記受信手段に対して選局するチャンネルを指示するための制御信号を出力する制御信号出力手段と、
放送局から配信される各チャンネルのチャンネル番号、及びこれら各チャンネルが選局可能なチャンネルとして登録されているか否かを示す登録チャンネル情報を含み、ユーザによって指定されたチャンネルを選局する際に利用されるチャンネル情報テーブルを記憶するチャンネル情報テーブル記憶手段と、
前記制御信号出力手段により、所定範囲のチャンネルの選局を順次指示して、前記受信手段により受信したテレビジョン放送信号に基づいて、選局可能なチャンネルを検出するチャンネルスキャン手段と、
前記チャンネルスキャン手段による検出結果に基づいて、前記チャンネル情報テーブルの内容を更新するチャンネル情報テーブル更新手段と、
を備えたテレビジョン放送受信装置において、
前記チャンネル情報テーブル更新手段は、選局可能なチャンネルとして新たに検出されたチャンネルについて、新たな登録チャンネル情報を前記チャンネル情報テーブルに追加すると共に、過去に選局可能なチャンネルとして前記チャンネル情報テーブルに登録されているチャンネルについては、既に登録されている登録チャンネル情報を前記チャンネル情報テーブルにそのまま保持することにより、前記チャンネル情報テーブルの内容を更新することを特徴とするテレビジョン放送受信装置。
【請求項３】
前記チャンネルスキャン手段は、前記制御信号出力手段により、前記チャンネル情報テーブルに選局できないチャンネルとして登録されているチャンネルの選局を順次指示し、前記チャンネル情報テーブルに選局可能なチャンネルとして登録されているチャンネルの選局をスキップして、前記受信手段により受信したテレビジョン放送信号に基づいて、選局可能なチャンネルを検出することを特徴とする請求項２に記載のテレビジョン放送受信装置。
【発明の詳細な説明】
【技術分野】
【０００１】
本発明は、チャンネルスキャン機能を備えたテレビジョン放送受信装置に関する。
【背景技術】
【０００２】
従来から、所定範囲のチャンネルをスキャンし、受信したテレビジョン放送信号の受信強度に基づいて、選局可能なチャンネルを検出するチャンネルスキャン機能を備えたテレビジョン放送受信装置が知られている（例えば、特許文献１参照）。このようなチャンネルスキャン機能を備えたテレビジョン放送受信装置では、チャンネルスキャンして得られた情報をメモリに記憶し、この情報を、ユーザによって指定されたチャンネルを選局する際に利用して選局処理を実行する。
【０００３】
また、このようなチャンネルスキャン機能を備えたテレビジョン放送受信装置において、メモリに記憶されている情報を全て削除してから、新たにチャンネルスキャンして得られた情報をメモリに記憶するようにした装置が知られている（例えば、特許文献２参照）。また、所定チャンネルをスキャンして空きチャンネルに新しいテレビジョン放送信号を検出したときに、ユーザが設定した空きチャンネル番号及び登録名の少なくとも一方をメモリに記憶するようにした装置等も知られている（例えば、特許文献３参照）。
【特許文献１】特開２００１−２４４７９５号公報
【特許文献２】特開２００２−３４４８３１号公報
【特許文献３】特開平１１−１４５７８３号公報
【発明の開示】
【発明が解決しようとする課題】
【０００４】
ところで、テレビジョン放送では、時間帯によってテレビジョン放送信号が送信されているチャンネルが変化し、また、時間帯によってテレビジョン放送信号（地上波）の電波強度も変化するため、テレビジョン放送受信装置により受信できるチャンネルが、時間帯によって変動することが考えられる。しかしながら、従来のテレビジョン放送受信装置においては、チャンネルスキャンする前にメモリに記憶されている情報を削除し、その後にチャンネルスキャンして得られた情報をメモリに記憶するため、過去に選局可能なチャンネルとしてメモリに記憶されていたチャンネルについて、新たにチャンネルスキャンした際に、たまたま、その時間帯にテレビジョン放送信号が送信されていなかった場合、このチャンネルは選局できないチャンネルとしてメモリに記憶されることとなる。このため、過去に選局可能であったチャンネルが、新たに行われたチャンネルスキャンによって、選局できないチャンネルとして取り扱われる場合があった。また、従来のテレビジョン放送受信装置においては、全てのチャンネルをスキャンして選局可能なチャンネルを検出するため、選局可能なチャンネルを検出するのに長い時間を要していた。
【０００５】
本発明は、上記の問題を解決するためになされたものであり、チャンネルスキャン機能を備えたテレビジョン放送受信装置において、過去に選局可能であったチャンネルが、新たに行われたチャンネルスキャンによって、選局できないチャンネルとして取り扱われることを防ぎ、また、チャンネルスキャンに要する時間を短縮することができるテレビジョン放送受信装置を提供することを目的とする。
【課題を解決するための手段】
【０００６】
上記目的を達成するために請求項１の発明は、テレビジョン放送信号の受信を行う受信手段と、前記受信手段に対して選局するチャンネルを指示するための制御信号を出力する制御信号出力手段と、放送局から配信される各チャンネルのチャンネル番号、及びこれら各チャンネルが選局可能なチャンネルとして登録されているか否かを示す登録チャンネル情報を含み、ユーザによって指定されたチャンネルを選局する際に利用されるチャンネル情報テーブルを記憶するチャンネル情報テーブル記憶手段と、前記制御信号出力手段により、所定範囲のチャンネルの選局を順次指示して、前記受信手段により受信したテレビジョン放送信号に基づいて、選局可能なチャンネルを検出するチャンネルスキャン手段と、前記チャンネルスキャン手段による検出結果に基づいて、前記チャンネル情報テーブルの内容を更新するチャンネル情報テーブル更新手段とを備えたテレビジョン放送受信装置において、前記チャンネルスキャン手段は、前記制御信号出力手段により、前記チャンネル情報テーブルに選局できないチャンネルとして登録されているチャンネルの選局を順次指示し、前記チャンネル情報テーブルに選局可能なチャンネルとして登録されているチャンネルの選局をスキップして、前記受信手段により受信したテレビジョン放送信号に基づいて、選局可能なチャンネルを検出する手段であり、前記チャンネル情報テーブル更新手段は、前記チャンネルスキャン手段により、選局可能なチャンネルとして新たに検出されたチャンネルについて、新たな登録チャンネル情報を前記チャンネル情報テーブルに追加すると共に、過去に選局可能なチャンネルとして前記チャンネル情報テーブルに登録されているチャンネルについては、既に登録されている登録チャンネル情報を前記チャンネル情報テーブルにそのまま保持することにより、前記チャンネル情報テーブルの内容を更新する手段であり、前記チャンネル情報テーブル更新手段により、新たな登録チャンネル情報が前記チャンネル情報テーブルに追加された場合に、そのチャンネル数をユーザに報知する追加チャンネル報知手段を更に備えたことを特徴とする。
【０００７】
請求項２の発明は、テレビジョン放送信号の受信を行う受信手段と、前記受信手段に対して選局するチャンネルを指示するための制御信号を出力する制御信号出力手段と、放送局から配信される各チャンネルのチャンネル番号、及びこれら各チャンネルが選局可能なチャンネルとして登録されているか否かを示す登録チャンネル情報を含み、ユーザによって指定されたチャンネルを選局する際に利用されるチャンネル情報テーブルを記憶するチャンネル情報テーブル記憶手段と、前記制御信号出力手段により、所定範囲のチャンネルの選局を順次指示して、前記受信手段により受信したテレビジョン放送信号に基づいて、選局可能なチャンネルを検出するチャンネルスキャン手段と、前記チャンネルスキャン手段による検出結果に基づいて、前記チャンネル情報テーブルの内容を更新するチャンネル情報テーブル更新手段とを備えたテレビジョン放送受信装置において、前記チャンネル情報テーブル更新手段は、選局可能なチャンネルとして新たに検出されたチャンネルについて、新たな登録チャンネル情報を前記チャンネル情報テーブルに追加すると共に、過去に選局可能なチャンネルとして前記チャンネル情報テーブルに登録されているチャンネルについては、既に登録されている登録チャンネル情報を前記チャンネル情報テーブルにそのまま保持することにより、前記チャンネル情報テーブルの内容を更新することを特徴とする。
【０００８】
請求項３の発明は、請求項２に記載の発明において、前記チャンネルスキャン手段は、前記制御信号出力手段により、前記チャンネル情報テーブルに選局できないチャンネルとして登録されているチャンネルの選局を順次指示し、前記チャンネル情報テーブルに選局可能なチャンネルとして登録されているチャンネルの選局をスキップして、前記受信手段により受信したテレビジョン放送信号に基づいて、選局可能なチャンネルを検出することを特徴とする。
【発明の効果】
【０００９】
請求項１の発明によれば、チャンネル情報テーブル更新手段は、チャンネル情報テーブルの内容を更新する際に、チャンネルスキャン手段により選局可能なチャンネルとして新たに検出されたチャンネルについて、新たな登録チャンネル情報をチャンネル情報テーブルに追加すると共に、過去に選局可能なチャンネルとしてチャンネル情報テーブルに登録されているチャンネルについては、既に登録されている登録チャンネル情報をチャンネル情報テーブルにそのまま保持するので、過去に選局できないチャンネルとしてチャンネル情報テーブルに登録されていたチャンネルが、選局可能なチャンネルとして新たに登録されることはあるものの、過去に選局可能なチャンネルとしてチャンネル情報テーブルに登録されていたチャンネルが、選局できないチャンネルとして新たに登録されることはない。このため、過去に選局可能であったチャンネルが、新たに行われたチャンネルスキャンによって、選局できないチャンネルとして取り扱われることがない。
【００１０】
また、チャンネルスキャン手段は、既に選局可能なチャンネルとしてチャンネル情報テーブルに登録されているチャンネルについては選局を指示せずスキップし、選局できないチャンネルとして登録されているチャンネルについてのみ、選局を順次指示して選局可能なチャンネルを検出するので、チャンネルスキャンに要する時間を短縮することができる。
【００１１】
また、選局可能なチャンネルが新たに検出され、新たな登録チャンネル情報がチャンネル情報テーブルに追加された場合に、追加チャンネル報知手段により、そのチャンネル数をユーザに報知するので、ユーザは新たに選局可能なチャンネルとして追加されたチャンネル数を容易に把握することができる。
【００１２】
請求項２の発明によれば、チャンネル情報テーブル更新手段は、チャンネル情報テーブルの内容を更新する際に、チャンネルスキャン手段により選局可能なチャンネルとして新たに検出されたチャンネルについて、新たな登録チャンネル情報をチャンネル情報テーブルに追加すると共に、過去に選局可能なチャンネルとしてチャンネル情報テーブルに登録されているチャンネルについては、既に登録されている登録チャンネル情報をチャンネル情報テーブルにそのまま保持するので、過去に選局可能であったチャンネルが、新たに行われたチャンネルスキャンによって、選局できないチャンネルとして取り扱われることがない。
【００１３】
請求項３の発明によれば、チャンネルスキャン手段は、既に選局可能なチャンネルとしてチャンネル情報テーブルに登録されているチャンネルについては選局を指示せずスキップし、選局できないチャンネルとして登録されているチャンネルについてのみ、選局を順次指示して選局可能なチャンネルを検出するので、選局可能なチャンネルを検出する際の処理時間を短縮することができる。
【発明を実施するための最良の形態】
【００１４】
本発明の一実施形態に係るテレビジョン（ＴＶ）放送受信装置について説明する。図１に示されるＴＶ放送受信装置１は、地上波伝送方式、又はＣＡＴＶ（Community  Antenna  Television）伝送方式等により所定周波数帯域で配信されてくるディジタルテレビジョン放送信号（以下、単にＴＶ放送信号という）を、地上波受信用アンテナ又はＣＡＴＶ用ケーブル等を介して受信し、各チャンネルのＴＶ放送信号に含まれるＴＶ番組の映像及び音声を再生してモニタ装置２に出力する装置である。
【００１５】
ＴＶ放送受信装置１は、ＴＶ放送信号を受信するチューナ（受信手段）１１、チューナ１１で受信したＴＶ放送信号に対して所定の信号処理を行い、復号化するフロントエンド１２、ＭＰＥＧ圧縮されていたＴＶ放送信号をデコードするＭＰＥＧデコーダ１３、デコードされたＴＶ放送信号に所定の表示画像を重畳させるオンスクリーンディスプレイ（ＯＳＤ）部１４、チューナ１１に対して選局するチャンネルを指示するための制御信号を出力すると共に、ＴＶ放送受信装置１全体を制御する制御部（制御信号出力手段）１５、及びチャンネル情報テーブルを記憶するメモリ（チャンネル情報テーブル記憶手段）１６などで構成されている。
【００１６】
制御部１５は、制御信号を出力することによりチューナ１１を制御してＴＶ放送信号の検出処理を実行する。検出されたＴＶ放送信号は、フロントエンド１２で誤り訂正等されることにより正常に受信できたか否か解析され、ＭＰＥＧデコーダ１３でデコードされる。ＭＰＥＧデコーダ１３でデコードされたＴＶ放送信号は、オンスクリーンディスプレイ部１４を介してモニタ装置２に出力され、表示される。なお、制御部１５は、後述するチャンネルスキャン処理を実行することにより、チャンネルスキャン手段、及びチャンネル情報テーブル更新手段として機能し、オンスクリーンディスプレイ部１４は、追加チャンネル報知手段として機能する。
【００１７】
次に、図２（ａ）を参照して、メモリ１６に記憶されるチャンネル情報テーブルについて説明する。チャンネル情報テーブル５０は、放送局から配信される各チャンネルのチャンネル番号５１、及びこれら各チャンネルが選局可能なチャンネルとして登録されているか否かを示す登録チャンネル情報５２を含んでいる。なお、以下においては、あるチャンネルが選局可能なチャンネルとして登録されている状態をＡＤＤフラグがオン状態であると表現し、あるチャンネルが選局できないチャンネルとして登録されている状態をＡＤＤフラグがオフ状態であると表現する。図８（ａ）（ｂ）において、ＡＤＤフラグのオン状態を”○”印で示し、ＡＤＤフラグのオフ状態を無印で示している。図８（ｂ）については後述する。
【００１８】
制御部１５は、ユーザによってチャンネルの選局操作がされた際に、メモリ１６からチャンネル情報テーブル５０を読み出し、登録チャンネル情報５２に基づいて、選局可能なチャンネルとして登録されているチャンネルについて選局処理を実行する。
【００１９】
次に、図３を参照して、所定範囲のチャンネルをスキャンして、選局可能なチャンネルを検出し、チャンネル情報テーブル５０の内容を更新するチャンネルスキャン処理について説明する。制御部１５は、ユーザによりチャンネル情報テーブル５０の更新が指示されると（或は、チャンネル情報テーブル５０が登録されていない場合には自動的に）、ＴＶ放送受信装置１が地上波受信用アンテナに接続されて地上波受信用設定になっているのか、或は、ＣＡＴＶ用ケーブルに接続されてＣＡＴＶ受信用設定になっているのか判断する（Ｓ１）。ＴＶ放送受信装置１が、地上波受信用設定になっている場合には（Ｓ１でＹＥＳ）、スキャンを開始するチャンネルＸの初期値として”２”を設定し、スキャンを終了するチャンネルＸmaxとして”６９”を設定する。また、チャンネルスキャン処理により新たに選局可能なチャンネルとして検出されたチャンネル数Yの初期値として”０”を設定する（Ｓ２）。一方、ＴＶ放送受信装置１が、ＣＡＴＶ受信用設定になっている場合には（Ｓ１でＮＯ）、スキャンを開始するチャンネルＸの初期値として”１”を設定し、スキャンを終了するチャンネルＸmaxとして”１２５”を設定する（Ｓ３）。
【００２０】
次に、制御部１５は、チャンネル情報テーブル５０を参照して、チャンネルＸのＡＤＤフラグがオンか否か判断する（Ｓ４）。チャンネルＸのＡＤＤフラグがオンの場合（Ｓ４でＹＥＳ）、ステップＳ５からステップＳ１０までの処理をスキップする。一方、チャンネルＸのＡＤＤフラグがオフの場合（Ｓ４でＮＯ）、制御部１５は、チューナ１１に制御信号を出力して、ＴＶ放送信号の検出処理を実行し（Ｓ５）、ＴＶ放送信号が検出されたか否か判断する（Ｓ６）。そして、ＴＶ放送信号が検出されると（Ｓ６でＹＥＳ）、フロントエンド１２により受信したＴＶ放送信号のデータが解析され（Ｓ７）、ＴＶ放送信号が正常に受信できたか否かが判断される（Ｓ８）。ＴＶ放送信号が正常に受信できたか否かの判断は、例えば、ＢＥＲ（Bit  Error  Rate）等を検出することなどにより行われる。ＴＶ放送信号が正常に受信できていれば（Ｓ８でＹＥＳ）、Ｙの値に１を加算し（Ｓ９）、チャンネルＸのＡＤＤフラグをオンにする（Ｓ１０）。一方、ステップＳ６において、ＴＶ放送信号が検出されなかった場合（Ｓ６でＮＯ）、又はステップ８において、検出されたＴＶ放送信号が正常でなかった場合は（Ｓ８でＮＯ）、チャンネルＸのＡＤＤフラグをオフ状態のままにする。
【００２１】
そして、全てのチャンネルについて、ステップＳ４からの処理が実行されたか否か判断し（Ｓ１１）、全てのチャンネルについて、ステップＳ４からの処理が実行されていなければ（Ｓ１１でＮＯ）、Ｘの値に１を加算し（Ｓ１２）、ステップＳ４に戻って次のチャンネルについてステップＳ４からの処理が実行される。全てのチャンネルについて、ステップＳ４からの処理が実行されると（Ｓ１１でＹＥＳ）、選局可能なチャンネルとして新たに検出されたチャンネルが存在するか否かが判断され（Ｓ１３）、選局可能なチャンネルとして新たに検出されたチャンネルが存在する場合（すなわちＹ＞０の場合）（Ｓ１３でＹＥＳ）、そのチャンネル数をオンスクリーンディスプレイ部１４を介してモニタ出力し（Ｓ１４）、処理を終了する。一方、選局可能なチャンネルとして新たに検出されたチャンネルが存在しない場合（Ｓ１３でＮＯ）、選局可能なチャンネルが検出されなかった旨のメッセージをモニタ出力して（Ｓ１５）、処理を終了する。
【００２２】
図２（ｂ）は、図２（ａ）の状態から、上記チャンネルスキャン処理を実行することにより、チャンネル情報テーブル５０の内容を更新した例を示す図である。図２（ａ）の状態において、チャンネルスキャン処理を行った場合、ＡＤＤフラグがオン状態となっている２チャンネル、４チャンネル、及び６チャンネルについては、上記ステップＳ５からステップＳ１０までの処理をスキップして、ＡＤＤフラグをオン状態に保持する。一方、ＡＤＤフラグがオフ状態となっている３チャンネル、５チャンネル、及び６９チャンネル等については、順次、チャンネルスキャンしてステップＳ５からステップＳ１０までの処理を実行する。例えば、５チャンネルが選局可能なチャンネルとして新たに検出された場合、５チャンネルのＡＤＤフラグをオンにすると共に、選局可能なチャンネルとして新たに検出されたチャンネル数”１”をモニタ出力して、ユーザに報知する。
【００２３】
本実施形態のＴＶ放送受信装置１によれば、チャンネルスキャン処理により、チャンネル情報テーブル５０の内容を更新する際に、選局可能なチャンネルとして新たに検出されたチャンネルについてはＡＤＤフラグをオンにすると共に、過去に選局可能なチャンネルとしてＡＤＤフラグがオン状態になっているチャンネルについては、ＡＤＤフラグをオン状態に保持するので、過去に選局できないチャンネルとしてチャンネル情報テーブル５０に登録されていたチャンネルが、選局可能なチャンネルとして新たに登録されることはあるものの、過去に選局可能なチャンネルとしてチャンネル情報テーブル５０に登録されていたチャンネルが、選局できないチャンネルとして新たに登録されることはない。このため、過去に選局可能であったチャンネルが、新たに行われたチャンネルスキャン処理によって、選局できないチャンネルとして取り扱われることがない。
【００２４】
また、チャンネルスキャン処理の際、既に選局可能なチャンネルとしてチャンネル情報テーブル５０に登録されているチャンネルについては選局を指示せずスキップし、選局できないチャンネルとして登録されているチャンネルについてのみ、選局を順次指示して選局可能なチャンネルを検出するので、チャンネルスキャンに要する時間を短縮することができる。
【００２５】
また、選局可能なチャンネルが新たに検出され、新たなＡＤＤフラグがチャンネル情報テーブル５０に追加された場合に、そのチャンネル数をオンスクリーンディスプレイ部１４を介してモニタ出力してユーザに報知するので、ユーザは新たに選局可能なチャンネルとして追加されたチャンネル数を容易に把握することができる。
【００２６】
なお、本発明は上記実施形態の構成に限られることなく種々の変形が可能である。例えば、ＴＶ放送受信装置１が受信できるＴＶ放送信号は、ディジタルテレビジョン放送信号に限られずアナログテレビジョン放送信号であってもよい。また、受信できるＴＶ放送信号の伝送方式も、地上波伝送方式及びＣＡＴＶ伝送方式に限られない。また、チャンネルスキャン処理により選局可能なチャンネルが新たに検出され、新たなＡＤＤフラグがチャンネル情報テーブル５０に追加された場合に、そのチャンネル数をユーザに報知する方法は、モニタ出力による方法でなくてもよく、音声出力等であってもよい。
【図面の簡単な説明】
【００２７】
【図１】本発明の実施形態に係るＴＶ放送受信装置の構成を示すブロック図。
【図２】（ａ）はチャンネルスキャン処理前のチャンネル情報テーブルを示す図、（ｂ）はチャンネルスキャン処理後のチャンネル情報テーブルを示す図。
【図３】同受信装置によるチャンネルスキャン処理を示すフローチャート。
【符号の説明】
【００２８】
１    テレビジョン放送受信装置
２    モニタ装置
１１  チューナ
１２  フロントエンド
１３  ＭＰＥＧデコーダ
１４  オンスクリーンディスプレイ部
１５  制御部
１６  メモリ
５０  チャンネル情報テーブル
【図１】
2006041751.tif 000003
【図２】
2006041751.tif 000004
【図３】
2006041751.tif 000005